(57)【特許請求の範囲】
【請求項１】
天井面等に固定される取付ベース側に設けられた嵌合受け部と、火災感知器本体側に設けられた嵌合片部とからなる嵌合部が嵌合することによって、該取付ベースと該火災感知器本体とが電気的に接続される如く構成された火災感知器であって、
該火災感知器本体側に設けられる嵌合片部を、該火災感知器本体内部に収納される回路基板より該回路基板の側方に向けて突出する如く延出し、該回路基板の回路実装部と電気的に接続される導電パターンを有する嵌合延出片部により構成し、
該嵌合延出片部を該回路基板と一体のものとして形成し、該嵌合延出片部と該回路基板とを一部材のものとすることを特徴とする火災感知器。
【請求項２】
前記火災感知器本体内には、筒状の内部隔壁とその内部隔壁の上縁に被せられる如く設けられた蓋状の裏カバーとによって回路収納部が形成され、前記嵌合延出片部は、前記火災感知器本体内部の回路基板等が収納される前記回路収納部の内部隔壁側よりその外方に突出していることを特徴とする請求項１記載の火災感知器。
【請求項３】
前記火災感知器本体と取付ベースとは、それぞれの外周部分に互いに係合される係合部が設けられていることを特徴とする請求項１又は２記載の火災感知器。
【発明の詳細な説明】
【０００１】
【発明が属する技術分野】
この発明は、取付ベースを介して天井面等に取り付けられる火災感知器に関する。
【０００２】
【従来の技術】
天井面等に取付ベースを介して取り付けられる火災感知器は、取付ベースをネジ等によって天井面等に固定し、その取付ベースに火災感知器本体を嵌合金具によって接続するようになっている。
【０００３】
上記の如く取り付けられる火災感知器において、取付ベースと火災感知器本体とを接続する嵌合部としての嵌合金具は、取付ベース側に設けられる嵌合受け部である金具と、火災感知器本体側に設けられる嵌合片部である金具とからなり、取付ベース側の金具が火災受信機等に接続されるリード線と電気的に接続され、火災感知器本体側の金具が本体内に収納される回路基板と電気的に接続されている。
【０００４】
したがって、上記嵌合金具は、取付ベースと火災感知器本体とを機械的に接続する部材としての機能を備えるとともに、両者を電気的に接続する電気的接続端子としての機能も兼ね備えている。
【０００５】
【発明が解決しようとする課題】
上記の如き嵌合金具によって取付ベースと火災感知器本体とが機械的且つ電気的に接続される火災感知器においては、火災感知器本体側の嵌合金具をネジ等によって回路基板と電気的に接続しつつ回路基板に固定しなければならない。このため、同感知器においては以下の如き問題点が存する。
【０００６】
▲１▼  火災感知器本体側の嵌合金具や、その嵌合金具を固定するネジ等といった部品が必要であり、部品点数が多くなることから、部品にかかるコストが高く、結果として火災感知器の製造コストが高くなる。
▲２▼  火災感知器本体側の嵌合金具をネジ等により固定する作業が必要であり、組み立て作業の工程数が多くなるばかりか、組み立て作業が煩雑なものとなることから、組み立て作業に要する時間が長くなり、結果として火災感知器の製造コストが高くなる。
▲３▼  火災感知器本体側の嵌合金具をネジ等により回路基板に電気的に接続しているので、天井からの水滴等が嵌合金具及びネジ等を伝って回路基板側に浸入する可能性があり、またこのことから所謂防滴型の火災感知器を構成することができない。
【０００７】
この発明は、上記事情に鑑み、取付ベースと火災感知器本体とを機械的且つ電気的に接続しつつも、部品点数が少なく、安価に製造することができる、取付ベースを介して取り付けられる火災感知器を提供することを目的とする。
【０００８】
またこの発明は、上記事情に鑑み、取付ベースと火災感知器本体とを機械的且つ電気的に接続しつつも、組み立て作業に要する時間が短く、安価に製造することができる、取付ベースを介して取り付けられる火災感知器を提供することを目的とする。
【０００９】
またこの発明は、上記事情に鑑み、取付ベースと火災感知器本体とを機械的且つ電気的に接続しつつも、天井からの水滴等が回路基板側に浸入することを防ぐことができ、防滴型の火災感知器を構成することができる、取付ベースを介して取り付けられる火災感知器を提供することを目的とする。
【００１０】
【課題を解決するための手段】
上記目的を達成するこの発明について述べれば、それは、天井面等に固定される取付ベース側に設けられた嵌合受け部と、火災感知器本体側に設けられた嵌合片部とからなる嵌合部が嵌合することによって、該取付ベースと該火災感知器本体とが電気的に接続される如く構成された火災感知器であって、該火災感知器本体側に設けられる嵌合片部を、該火災感知器本体内部に収納される回路基板より該回路基板の側方に向けて突出する如く延出し、該回路基板の回路実装部と電気的に接続される導電パターンを有する嵌合延出片部により構成し、該嵌合延出片部を該回路基板と一体のものとして形成し、該嵌合延出片部と該回路基板とを一部材のものとすることを特徴とする火災感知器である。
【００１１】
上記火災感知器において、嵌合延出片部は、筒状の内部隔壁とその内部隔壁の上縁に被せられる如く設けられた蓋状の裏カバーとによって火災感知器本体内に形成され、回路基板等が収納される回路収納部の内部隔壁側よりその外方に突出しているものとすることができる、又、前記火災感知器本体と取付ベースとは、それぞれの外周部分に互いに係合される係合部が設けられているものとすることができる。
【００１２】
上記火災感知器によれば、火災感知器本体側の嵌合延出片部を、取付ベース側の嵌合受け部に差し込んで両者を嵌合させることで、取付ベースと火災感知器本体とを機械的且つ電気的に接続することができる。
【００１３】
そして、火災感知器本体側の嵌合延出片部を回路基板より延出する構成としたので、またその嵌合延出片部は回路基板と一体のものとして形成されている構成としたので、従来例のような火災感知器本体側の嵌合金具やそれを固定するネジ等の部品の必要はなく、また火災感知器の組み立てに際して、従来例のような火災感知器本体側の嵌合嵌具のネジ等による固定作業は必要がない。
【００１４】
このため、上記火災感知器によれば、取付ベースと火災感知器本体とを機械的且つ電気的に接続しつつも、部品点数を少なくすることができるとともに、組み立てに要する作業時間も短くすることができ、それにより火災感知器を安価に製造することができる。
【００１５】
さらに、上記火災感知器において、嵌合延出片部は、回路収納部よりその外方にパッキンを介して突出しているものとすることができる。
【００１６】
このようにすることで、火災感知器本体側の嵌合延出片部と回路基板との間をパッキンによってシールすることができるので、取付ベースと火災感知器本体とを機械的且つ電気的に接続しつつも、天井からの水滴等が回路基板側に浸入するのを防ぐことができ、所謂防滴型の火災感知器を構成することができる。
【００１７】
【発明の実施の形態】
この発明の実施の形態を添付図面の図１及び図２により説明する。なお、図１は取付ベースに火災感知器本体が接続された状態における断面図であり、図２は火災感知器本体の平面図である。
【００１８】
図１及び図２において、１は火災感知器の一例としての煙感知器であり、感知器本体（火災感知器本体）２と取付ベース３とを備えている。
【００１９】
取付ベース３は天井面（図示省略）にネジ等の固定手段により固定されるものであり、この取付ベース３に感知器本体２が機械的且つ電気的に接続（接続機構の詳細については後述する）される。
【００２０】
感知器本体２内には、筒状の内部隔壁２ａとその内部隔壁２ａの上縁２ｃに被せられる如く設けられた蓋状の裏カバー２ｂとによって回路収納部４が形成されており、回路収納部４内には回路基板５が収納されている。さらに感知器本体２には、回路基板５に取り付けられる如く、その下方に煙を感知するための光学系が収納される光学系収納部１０が設けられている。
【００２１】
回路基板５は、ねじ止め５ｂ，５ｃによって裏カバー２ｂに固定されている。また、裏カバー２ｂは内部隔壁２ａにねじ止め２ｄ，２ｅにより固定されている。そして、光学系収納部１０は、回路基板５にフック１０ａ，１０ｂにより係合されている。
【００２２】
この回路基板５には、回路基板５よりその側方に向けて突出する如く延出する２片の嵌合延出片６，７が設けられており、この嵌合延出片６，７は回路基板５と一体のものとして形成されている。またこの嵌合延出片６，７の上下の嵌合面（後述する嵌合受け部との嵌合面）のうち一方の嵌合面６ａ，７ａには図示しない導電パターンが形成されている。この導電パターンは回路基板５の回路実装部５ａと電気的に接続されており、導電パターンが形成されている側の一方の嵌合面６ａ，７ａに電気的接続端子としての機能を持たせている。なお、他方の嵌合面（嵌合面６ａ，７ａの裏側の嵌合面）に導電パターンを形成するようにしてもよいし、一方の嵌合面６ａ，７ａと他方の嵌合面の両方に導電パターンを形成するようにしてもよい。
【００２３】
回路基板５の嵌合延出片６，７は、回路収納部４を形成する内部隔壁２ａの上縁２ｃと裏カバー２ｂとの間から回路収納部４の外方４ａに突出する如く設けられており、嵌合延出片６，７と回路基板５の回路実装部５ａとの間は、内部隔壁２ａの上縁２ｃと裏カバー２ｂとの間に設けられたパッキンＰによりシールされている。なお、内部隔壁２ａの上縁２ｃには、嵌合延出片６，７に対応して、嵌合延出片６，７が挿入される凹部が形成されている。
【００２４】
取付ベース３には、図１に示す如く、回路基板５の２片の嵌合延出片６，７のうち一方の嵌合延出片６と嵌合する嵌合受け部８が設けられており、この嵌合受け部８は、接触バネ８ｂを有する刃受け金具８ａによって構成されており、嵌合延出片６が差し込まれて、それを上下から挟持することができる如く構成されている。また、嵌合受け部８は、図示されていない火災受信機のリード線と接続されている。なお、取付ベース３には、図面上は表れてはいないが、回路基板５のもう一方の嵌合延出片７と嵌合するもう一方の嵌合受け部も設けられている。なお、このもう一方の嵌合受け部は、嵌合受け部８と同様に構成されており、図示されていない火災受信機のリード線にも接続されている。
【００２５】
感知器本体２の回路基板５の嵌合延出片６，７は、取付ベース３の嵌合受け部８と図面上表されていない嵌合受け部とに差し込まれて挟持されて、両者が嵌合することで、火災感知器本体２と取付ベース３とが機械的且つ電気的に接続されることとなる。また、感知器本体２と取付ベース３とは、それぞれの外周部分に設けた係合部１１，１２が係合することによっても機械的に接続されており、この係合（引掛）構造を設けることで、回路基板５にかかる応力を軽減することができる。なお、この引掛構造のみで感知器本体２と取付ベース３との機械的な接続を行うようにしてもよい。
【００２６】
感知器本体２と取付ベース３とを機械的且つ電気的に接続する嵌合部における嵌合片部を回路基板５から延出する回路基板５と一体の嵌合延出片６，７としたことで、従来例では別部品として必要であった火災感知器本体側の嵌合金具やそれを固定するネジ等の部品の必要をなくすることができるとともに、従来例では火災感知器の組み立ての際に必要であった火災感知器本体側の嵌合嵌具をネジ等による固定する作業の必要をなくすることができる。
【００２７】
また、回路基板５の嵌合延出片６，７を、回路収納部４を構成する内部隔壁２ａの上縁２ｃと裏カバー２ｂとの間から外方に突出させ、嵌合延出片６，７と回路基板５の回路実装部５ａとの間を、内部隔壁２ａの上縁２ｃと裏カバー２ｂとの間に設けられたパッキンＰによりシールしているので、天井からの水滴が嵌合受け部や嵌合延出片６，７に伝わったとしても、それが回路収納部４内に伝わるのを防ぐことができる。またこのようにすることで、取付ベース３と感知器本体２とを機械的且つ電気的に接続しつつも、煙感知器１を所謂防滴型の火災感知器とすることができることとなる。なお、裏カバー２ｂ及びパッキンＰを用いずに、回路基板５の回路実装部５ａ等を充填剤により覆って、天井からの水滴が回路基板５に伝わるのを防止してもよい。
【００２８】
次に、この煙感知器１の組み立て方法について説明する。先ず、発光素子及び受光素子等の光学系を収納した光学系収納部１０を光学系収納部１０のフック１０ａ，１０ｂにより回路基板５に係合させる。次に内面外周上にパッキンＰを載置した裏カバー２ｂと回路基板５の一方の嵌合面６ａ，７ａを対向させて、ねじ止め５ｂ，５ｃにより固定する。そして、内部隔壁２ａ内に光学系収納部１０を挿入して、回路基板５の嵌合延出片６，７をそれに対応して内部隔壁２ａの上縁２ｃに形成された凹部に挿入して、裏カバー２ｂと内部隔壁２ｃとをねじ止め２ｄ，２ｅにより固定して、回路収納部４を形成し、感知器本体２を組み立てる。なお、凹部の外周面にパッキンを載置すると、天井からの水滴等が回路収納部４内へ浸入することをより防止できる。また、凹部を形成せずに、内部隔壁２ａの上縁２ｃ上にパッキンを載置し、裏カバー２ｂと上縁２ｃとを圧接させて、回路収納部４内への水滴等の浸入を防止してもよい。
【００２９】
次に回路収納部４より外方４ａに突出している嵌合延出片６，７を、所謂ツイスト嵌合により、天井に設置されている取付ベース３の対応した嵌合受け部に装着し、煙感知器１をセットする。このとき、感知器本体２と取付ベース３とは、それぞれの係合部１１，１２が係合して、機械的に接続される。
【００３０】
なお、裏カバー２ｂ及びパッキンＰを用いない場合は、回路実装部５ａ等を充填剤により覆った回路基板５と内部隔壁２ａとをねじ止め等により固定する。
【００３１】
この発明の実施の形態の上記説明において、火災感知器として煙感知器を例に説明したが、火災感知器としては所謂熱感知器や炎感知器でもよい。
【００３２】
【発明の効果】
この発明は、上記の如く構成したので、従来例においては必要であった火災感知器本体側の嵌合金具やそれを固定するネジ等の部品の必要をなくすることできるとともに、火災感知器の組み立てに際して、従来例においては必要であった火災感知器本体側の嵌合嵌具をネジ等により固定する作業の必要をなくすることができる。
【００３３】
このため、この発明によれば、取付ベースと火災感知器本体とを機械的且つ電気的に接続しつつも、部品点数が少なくすることができるとともに、組み立てに要する作業時間を短くすることができ、安価に製造することができる火災感知器を得ることがことができる。
【００３４】
さらにこの発明は、火災感知器本体側の嵌合延出片部と回路基板との間をパッキンによってシールすることで、取付ベースと火災感知器本体とを機械的且つ電気的に接続しつつも、天井からの水滴等が回路基板側に浸入するのを防ぐことができる火災感知器を得ることができ、これにより、取付ベースと火災感知器本体とを機械的且つ電気的に接続しつつも、所謂防滴型の火災感知器を得ることができる。
【図面の簡単な説明】
【図１】図１は、取付ベースに火災感知器本体が接続された状態における断面図である。
【図２】図２は、火災感知器本体の平面図である。
【符号の説明】
１    煙感知器（火災感知器）
２    感知器本体（火災感知器本体）
２ａ  内部隔壁
２ｂ  裏カバー
２ｃ  内部隔壁の上縁
３    取付ベース
４    回路収納部
４ａ  回路収納部の外方
５    回路基板
５ａ  回路実装部
６    嵌合延出片
６ａ  一方の嵌合面
７    嵌合延出片
７ａ  一方の嵌合面
８    嵌合受け部
８ａ  刃受け金具
８ｂ  接触バネ
Ｐ    パッキン
【図１】
0003921656.tif 000002
【図２】
0003921656.tif 000003